(57)【要約】      （修正有）【課題】無炎香炉の芯装置の提供。【解決手段】セラミックベース１０と鉄網トレイ１２で組成され、該鉄網トレイがセラミックベースの上面に設置され、白金防火綿１３が該鉄網トレイの上に設置され、更にセラミックベースの上にセラミック保護リング１５と留め具１４が設けられ、該鉄網トレイと白金防火綿がセラミックベースの上に固定され、以上の構造により、鉄網トレイと白金防火綿が燃焼しやすい物質及び火焔の伝導を隔離し、無炎加熱器により精油を適当な温度として揮発効果を発生させ、無炎燃焼方式で媒体を燃焼させ、安全性を高め、炎による危険を防止できる。【選択図】図２
0003102399.tif 000002
【実用新案登録請求の範囲】
【請求項１】
セラミックベースと鉄網トレイからなり、該セラミックベースが精油瓶の瓶口に設置され、且つセラミックベースの底部が芯の一端に接続された無炎香炉の芯装置において、
該セラミックベースが多孔セラミック材料で形成され、該セラミックベースの上面に盆状凹部が形成され、該盆状凹部の上に鉄線網で形成された鉄網トレイが敷設され、並びに白金防火綿が該鉄網トレイの上に充填され、セラミックベースの上に設けられたセラミック保護リングと留め具が鉄網トレイと白金防火綿をセラミックベースの上面に固定し、無炎加熱器により白金防火綿が直接加熱されて間接的にセラミックベースの上の精油が加熱され芳香を発するよう形成されたことを特徴とする、無炎香炉の芯装置。
【請求項２】
請求項１記載の無炎香炉の芯装置において、無炎加熱器が前端に電熱線を具えた筒状構造とされ、該筒状構造の内部に電熱線に電力を提供する電池が設けられたことを特徴とする、無炎香炉の芯装置。
【考案の詳細な説明】
【技術分野】
【０００１】
本考案は一種の無炎香炉の芯装置に係り、特に直接に火焔と接触しない状態で精油分子を気化させることができ、火焔が芯頭に発生することによる爆発の危険を防止した無炎香炉の芯装置に関する。
【背景技術】
【０００２】
いわゆる精油は、揮発性を有する高濃度の芳香物質であり、各種の化学或いは物理方法で、植物の根、茎、葉、種子或いは花朶より抽出される。現代人は仕事のストレスが大きく、多くの人がエッセンスオイルを、頭をすっきりさせて集中力を高めたり、或いはリラックスして眠りやすくするのに使用している。
【０００３】
精油は水に溶けにくく、アルコール類に溶けるほか、イソプロピルアルコールを溶剤として使用している。イソプロピルアルコールの燃焼温度は比較的低く且つ揮発しやすく、その揮発後には易燃性のガスとなる。図１に示されるように、精油を用いる周知の香炉は、精油３とイソプロピルアルコールを混合後に、精油瓶４中に入れ、精油瓶４中に芯５を挿入し、芯５の一部を精油３に浸し、並びに精油瓶４の瓶口にセラミック芯頭６を設置し、セラミック芯頭６と芯５の一端を接続する。精油瓶４内の精油３は芯５の毛細管現象により上昇してセラミック芯頭６に至り、セラミック芯頭６は多孔セラミック材料で形成され、各顆粒間に微小な空隙を有して、良好な流体浸透性と吸着性を具えているため、セラミック芯頭６の空隙に精油３が充満する。その後、精油瓶４上のセラミック芯頭６に点火すると、この部分の精油３内に含まれるイソプロピルアルコールが燃焼し、その高温を利用してセラミック芯頭６の精油３を揮発させて空気中に分散させる。
【０００４】
しかし、周知のセラミック芯頭６は燃焼時に芯５を上昇する精油３が過多であるため、精油３が急速に揮発及び燃焼し、このため精油瓶４の内外の圧力が不均衡となり、爆発事故を発生する恐れが有る。
【０００５】
さらに、周知のセラミック芯頭６と芯５の間には他の媒体による隔離がなく、このため精油３が急速に芯５を上昇してセラミック芯頭６に至り、セラミック芯頭６の微小な空隙に充満する精油３と易燃性のガスの濃度が濃くなりすぎ、この時、直接ライタでセラミック芯頭６に点火すると、火焔が濃度が濃過ぎる精油３と易燃性のガスを大量に燃焼させ、火焔が芯５を伝わり急速に精油瓶４内に至り、精油瓶４内の精油３を燃焼させて爆発を発生する恐れがある。
【考案の開示】
【考案が解決しようとする課題】
【０００６】
本考案は上述の火焔式の香炉の欠点を鑑み、それを解決する一種の無炎香炉の芯装置を提供するものである。
【０００７】
本考案の主要な目的は、直接火焔と接触しない状態で精油分子を気化させ、セラミック芯頭に点火する周知の火焔燃焼方式の香炉がもたらす爆発の危険を防止することにある。
【課題を解決するための手段】
【０００８】
請求項１の考案は、セラミックベースと鉄網トレイからなり、該セラミックベースが精油瓶の瓶口に設置され、且つセラミックベースの底部が芯の一端に接続された無炎香炉の芯装置において、
該セラミックベースが多孔セラミック材料で形成され、該セラミックベースの上面に盆状凹部が形成され、該盆状凹部の上に鉄線網で形成された鉄網トレイが敷設され、並びに白金防火綿が該鉄網トレイの上に充填され、セラミックベースの上に設けられたセラミック保護リングと留め具が鉄網トレイと白金防火綿をセラミックベースの上面に固定し、無炎加熱器により白金防火綿が直接加熱されて間接的にセラミックベースの上の精油が加熱され芳香を発するよう形成されたことを特徴とする、無炎香炉の芯装置としている。
請求項２の考案は、請求項１記載の無炎香炉の芯装置において、無炎加熱器が前端に電熱線を具えた筒状構造とされ、該筒状構造の内部に電熱線に電力を提供する電池が設けられたことを特徴とする、無炎香炉の芯装置としている。
【考案の効果】
【０００９】
本考案の無炎香炉の芯装置は、爆発を確実に防止し優れた安全性を達成し、且つこの構造は芳香を増す効果を有しており、実用性、新規性、及び進歩性を具備している。
【考案を実施するための最良の形態】
【００１０】
本考案の無炎香炉の芯装置は、セラミックベースと鉄網トレイで組成され、該鉄網トレイがセラミックベースの上面に設置され、白金防火綿が該鉄網トレイの上に設置され、更にセラミックベースの上にセラミック保護リングと留め具が設けられ、該鉄網トレイと白金防火綿がその上面に固定される。
【００１１】
以上の構造により、鉄網トレイと白金防火綿を燃焼しやすい物質及び火焔の伝導を隔離し、無炎加熱器により精油を適当な温度として揮発効果を発生させ、無炎燃焼方式で媒体を燃焼させ、安全性が高く、炎による危険を防止できる。
【実施例１】
【００１２】
図２、３に示されるように、本考案の無炎香炉の芯装置は、セラミックベース１０と
鉄網トレイ１２で組成され、該鉄網トレイ１２は精油瓶４の瓶口に設置され、且つ底部が芯５の一端に接続されている。本考案の特徴は以下のとおりである。
【００１３】
該セラミックベース１０が多孔セラミック材料で形成され、該セラミックベース１０の上面に盆状凹部１０１が形成され、該盆状凹部１０１の上に鉄線網で形成された鉄網トレイ１２が敷設され、並びに白金防火綿１３が該鉄網トレイ１２の上に充填され、セラミックベース１０の上にセラミック保護リング１５と留め具１４が設けられ、鉄網トレイ１２と白金防火綿１３がセラミックベース１０の上面に固定される。
【００１４】
図４に示されるように、本考案の無炎香炉の芯装置は無炎加熱器２による間接加熱を採用し、該無炎加熱器２は前端に電熱線２１を具えた筒状構造２２とされ、該筒状構造２２内に電熱線２１に電力を提供する電池が設置されている。使用者は該電熱線２１を利用して直接白金防火綿１３を加熱でき（該白金防火綿１３の耐熱温度は４００℃から５００℃）、電熱線２１の温度を白金防火綿１３と鉄網トレイ１２によりセラミックベース１０に伝導する。これによりセラミックベース１０の孔中の精油３が温度の上昇によりゆっくりと燃焼し、使用者が精油ガスを嗅ぎ取れば、すでに大量に放出されているため、このとき使用者は無炎加熱器２の加熱スイッチを切断し、且つ白金防火綿１３の上の電熱線２１を取り外せば、全体の加熱プロセスが完了する。
【００１５】
以上の構造により、鉄網トレイ１２が白金防火綿１３とセラミックベース１０間の精油３の伝導を遮断し、白金防火綿１３に精油３が付着するのを防止し、これにより加熱時に白金防火綿１３に付着した精油３或いは易燃性のガスが濃度過高により燃焼現象を発生するのを防止できる。
【００１６】
このほか、白金防火綿１３がセラミックベース１０に対する加熱時の温度伝導の媒体とされるため、無炎方式で媒体の燃焼が発生し、その安全性に心配がなく、このため白金防火綿１３に付着した精油３或いは易燃性のガスが燃焼現象を発生しても、その火焔が白金防火綿１３に遮断されるため、白金防火綿１３の火焔が直接にはセラミックベース１０に至らず、且つ白金防火綿１３により加熱温度がセラミックベース１０に均一に伝えられるため、セラミックベース１０中の精油３が適当な燃焼温度に到達して、揮発性分子の浸透が更に細かくなり、良好な芳香効果を達成できる。
【００１７】
さらに、本考案中、無炎加熱器２は内部電池の電力により電熱線２１に高温を発生させ、この高温の電熱線２１は燃焼による火焔を発生して芯頭周囲の易燃性のガスを急速に燃焼させることがなく、ゆえに精油３の急速な揮発と燃焼を防止でき、精油瓶４の内外圧力の均衡を獲得でき、且つ火焔が瓶内に進入するのを防止でき、これにより優れた安全性を達成する。
【図面の簡単な説明】
【００１８】
【図１】周知の精油を用いた香炉の実施例図である。
【図２】本考案の分解斜視図である。
【図３】本考案の斜視図である。
【図４】本考案の実施例図である。
【符号の説明】
【００１９】
２  無炎加熱器          ３  精油
４  精油瓶              ５  芯
６  セラミック芯頭      １０  セラミックベース
１２  鉄網トレイ        １３  白金防火綿
１４  留め具            １５  セラミック保護リング
２１  電熱線            ２２  筒状構造
２１  盆状凹部
【図１】
0003102399.tif 000003
【図２】
0003102399.tif 000004
【図３】
0003102399.tif 000005
【図４】
0003102399.tif 000006